(57)【特許請求の範囲】
【請求項１】
被固定部に嵌合されるコネクタ本体と、
前記コネクタ本体の後端部に装着され、前記コネクタ本体内を挿通するケーブルを支持するストレインリリーフと、
前記コネクタ本体の外周に装着され、前記被固定部とコネクタ本体部の嵌合面に介在する環状のシール部材とを備え、
前記シール部材には、コネクタ本体の後端側に向かって延びる舌片状の回転防止部が形成されるとともに、前記コネクタ本体には、前記回転防止部を係合するため凹状の係合部が形成され、
さらに前記ストレインリリーフには、前記コネクタ本体の先端側に向かって延び、前記回転防止部を押さえる爪部が形成されていることを特徴とするコネクタ。
【請求項２】
前記爪部は少なくとも２つ形成され、各爪部は、コネクタ嵌合方向に延びるコネクタ本体の中心軸に対して対称位置に配置されている
ことを特徴とする請求項１記載のコネクタ。
【発明の詳細な説明】
【技術分野】
【０００１】
この発明は、シール性を有するコネクタに関する。
【背景技術】
【０００２】
ケースの穴に嵌合されるコネクタ本体と、穴とコネクタ本体の嵌合面をシールするシール部材とを備えるコネクタとして、例えば特許文献１に記載のコネクタが知られている。
【先行技術文献】
【特許文献】
【０００３】
【特許文献１】特開２０１０−１２３３２９号公報
【発明の概要】
【発明が解決しようとする課題】
【０００４】
特許文献１に記載のコネクタでは、コネクタ本体の外周に装着された環状のシール部材が、ケースの穴とコネクタ本体の嵌合面に介在し、嵌合面をシールする。そして、環状のシール部材が回転して嵌合面のシール性が低下するのを防止するため、シール部材に凸状の回転防止部が形成されるとともに、この回転防止部を係合するための係合部がコネクタ本体に形成され、これらの係合によりシール部材の回転が防止されている。
しかしながら、ケースの穴にコネクタ本体に嵌合する際、コネクタ本体にねじれ方向の力やこじり力などが作用すると、コネクタ本体に装着されている環状のシール部材が弾性変形してシール部材が浮き上がり、コネクタ本体の係合部に係合している凸状の回転防止部が係合部を乗り上げて、シール部材が回転してしまう可能性があった。
【０００５】
本発明は、このような問題点に鑑みてなされたものであり、シール部材の回転によるシール性の低下を抑制し、シール性を向上させたコネクタを提供することを目的とする。
【課題を解決するための手段】
【０００６】
本発明に係るコネクタは、被固定部に嵌合されるコネクタ本体と、前記コネクタ本体の後端部に装着され、前記コネクタ本体内を挿通するケーブルを支持するストレインリリーフと、前記コネクタ本体の外周に装着され、前記被固定部とコネクタ本体部の嵌合面に介在する環状のシール部材とを備え、前記シール部材には、コネクタ本体の後端側に向かって延びる舌片状の回転防止部が形成されるとともに、前記コネクタ本体には、前記回転防止部を係合するための凹状の係合部が形成され、さらに前記ストレインリリーフには、前記コネクタ本体の先端側に向かって延び、前記回転防止部を押さえる爪部が形成されている。
【０００７】
即ち、本発明に係るコネクタは、ストレインリリーフの爪部によって回転防止部が係合部に押え付けられている。これによって、コネクタ本体をケースに嵌合する際、コネクタ本体にねじれ方向の力やこじり力などが作用し、コネクタ本体に装着されている環状のシール部材が弾性変形して浮き上がっても、コネクタ本体の係合部に係合している回転防止部が、係合部を乗り上げることがなく、シール部材が回転するのを防止することができる。
【０００８】
なお、前記爪部は少なくとも２つ形成され、各爪部は、コネクタ嵌合方向に延びるコネクタ本体の中心軸に対して対称位置に配置されていてもよい。
【０００９】
このような態様においては、コネクタ本体の外周に装着された環状のシール部材を均等に押さえつけることができる。
【発明の効果】
【００１０】
本発明によれば、シール部材の回転によるシール性の低下を防止し、シール性を向上させたコネクタを提供することが可能である。
【図面の簡単な説明】
【００１１】
【図１】本発明の一実施形態に係るコネクタの分解斜視図である。
【図２】同コネクタの平面図である。
【図３】同コネクタの側面図、正面図及び背面図である。
【図４】図２のＡ−Ａ′線で切断した側断面図及び、Ｂ−Ｂ′線で切断した側断面図である。
【図５】同コネクタの取り付け時の斜視図である。
【発明を実施するための形態】
【００１２】
以下、添付の図面を参照して、この発明の実施形態に係るコネクタを詳細に説明する。
【００１３】
図１は、本発明の一実施形態に係るコネクタの分解斜視図、図２は同コネクタの平面図、図３（ａ）は同コネクタの側面図、図３（ｂ）は正面図、図３（ｃ）は背面図、図４（ａ）は図２のＡ−Ａ′線で切断した側断面図、図４（ｂ）はＢ−Ｂ′線で切断した側断面図である。
【００１４】
本発明の実施形態に係るコネクタ１は、被固定部（図５参照）に嵌合されるコネクタ本体（シールドケース）５と、コネクタ本体の後端部に装着され、コネクタ本体内を挿通するケーブル１１を支持するストレインリリーフ７と、コネクタ本体の外周に装着され、被固定部とコネクタ本体部の嵌合面に介在する環状のシール部材６とを備える。
【００１５】
ケーブル１１の先端には端子１２が圧着固定されている。ケーブル１１は、図３（ｃ）及び図４（ｂ）に示す通り、ケーブル先端部において端子１２と電気的に接続された芯線１１１と、芯線１１１を覆う絶縁性の内部被覆１１２と、内部被覆１１２を覆う編組線１１３と、編組線１１３を覆う絶縁性の外部被覆１１４とを備えたシールド線である。
【００１６】
各ケーブル１１には、後述するコネクタ本体５の内周面との間でシールを形成するワイヤシール２と、上記編組線１１３をかしめるフェルール３と、フェルール３の先端側を覆うスリーブ４とが装着されている。
【００１７】
図４（ｂ）に示す通り、ケーブル１１の先端では、内部被覆１１２や外部被覆１１４が部分的に除去されている。内部被覆１１２および外部被覆１１４が除去され芯線１１１が露出した部分には、端子１２が取り付けられている。外部被覆１１４が除去された部分では、編組線１１３が、外部被覆１１４被覆部分に向かって折り返されている。外部被覆１１４の端部近傍では、編組線１１３が折り返されてフェルール３によって固定されている。フェルール３の先端部分はスリーブ４によって覆われているとともに、フェルール３の後ろ側にワイヤシール２が取り付けられている。そして、ケーブル１１、ワイヤシール２、フェルール３およびスリーブ４がコネクタ本体５（シールドケース）内に収容され、このコネクタ本体５の後端部に、コネクタ本体内を挿通するケーブル１１を支持するストレインリリーフ７が装着される。またコネクタ本体５の外周には、環状のシール部材６が装着される。
【００１８】
コネクタ本体５は、図１及び図２に示す通り、被固定部（長円状の孔部）に嵌合される外周部５１と、ケーブル１１やワイヤシール２等を保持する様に覆う保持部５２と、当該コネクタと被固定部との位置関係を固定する固定部５３とを備える。本実施形態においては、保持部５２はケーブル１１の一部を覆う様な円筒部が３つ、平行に並べられて構成されている。このような構成においては、３本のケーブルを保持することが可能であるが、本発明は何本のケーブルを扱うコネクタにも適用可能である。
【００１９】
また、外周部５１は保持部５２によって貫通された長円板状に形成されており、外周部分に溝部５１ａ及び係合部５１ｂが形成されている。溝部５１ａは外周部５１の外周に沿い、全周にわたって設けられている。係合部５１ｂは、本実施形態においては外周部５１に形成された切り欠きからなり、溝部５１ａの、隣接するケーブル１１間に相当する部分からケーブル１１の後端方向に向かって形成されている。従って、本実施形態においては、溝部５１ａはシール部材６の後述するシール部６１が配置されるように形成され、係合部５１ｂはシール部材６の後述する回転防止部６２に二方向から当接する側壁から形成される。但し、溝部５１ａはシール部材６を前後方向に固定可能に、係合部５１ｂはシール部材６を回転方向に固定可能に形成されていれば良く、シール部材６の形状に合わせ、適宜変更可能である。また、保持部５２の後端側には、ストレインリリーフ７を前後方向に固定するストレインリリーフ固定部５２ａが形成されている。本実施形態において、ストレインリリーフ固定部５２ａは、開口から構成される。
【００２０】
シール部材６は、コネクタ本体５の溝部５１ａに嵌合され、長円状の孔部との間に介在して両者の間をシールするシール部６１と、舌片状に形成され、シール部６１から後端方向に伸びて係合部５１ｂに係合される回転防止部６２とを備える。シール部６１外周面は、防水性の確保及び取り付け作業の容易化のために、蛇腹状に形成されている。即ち、シール部６１外周の畝に該当する部分は外壁に所定量押しつぶされ、これによってシール性を確保する。回転防止部６２は、シール部６１外周の、ケーブル１１同士の間に相当する部分から後端方向に突出し、係合部５１ｂに嵌合される。従って、シール部材６の回転方向に力が働いた場合、当該回転防止部６２と係合部５１ｂを構成する２つの側壁とが当接することにより、回転を好適に防止することが可能である。
【００２１】
また、本実施形態においては、上記係合部５１ｂが２つの側壁から形成されており、回転防止部の後端部分には側壁が形成されていない。また、回転防止部６２には、ストレインリリーフの後述する爪部７２が嵌合される凹部６２ａが形成されている。
【００２２】
ストレインリリーフ７は、上部７ａ及び下部７ｂからなり、ケーブル１１を上下から挟みこみ、その後に先端方向に押圧することによってコネクタ本体５に固定される。また、当該上部７ａ及び下部７ｂには凹凸からなる固定部７ｃが形成され、この固定部７ｃによって前後方向及び左右方向に固定される。また、ストレインリリーフ７は、コネクタ本体５に挿通されたケーブル１１を保持し、ケーブル１１の曲げ応力を緩和する曲げ応力緩和部７１と、曲げ応力緩和部７１から先端方向に伸びる舌片状に形成され、シール部材６の回転防止部６２を抑える爪部７２を有する。
【００２３】
図１及び図４（ｂ）に示す通り、曲げ応力緩和部７１は、ケーブル１１とコネクタ本体５との間に挿入される様にシールド１の先端方向に延び、ケーブル１１の外部被覆１１４を保持するケーブル保持部７１１を複数備える。また、曲げ応力緩和部７１は、ケーブル１１とコネクタ本体５との間に挿入される様にシールド１の先端方向に延びるストレインリリーフ固定爪７１２と、コネクタ本体５を外周から保持する様に形成された挟持部７１３とを備える。ケーブル保持部７１１及び挟持部７１３は、コネクタ本体５の壁部分を挟持することによって上下方向に固定される。更に、ストレインリリーフ固定爪７１２は、ケーブル１１とコネクタ本体５との間に挿入され、外周部分に形成された爪部を、コネクタ本体５のストレインリリーフ固定部５２ａに嵌合する。これにより、ストレインリリーフ７全体がコネクタ本体５に固定される。尚、ストレインリリーフ７をコネクタ本体から取り外す場合には、コネクタ本体５の外側からストレインリリーフ固定部５２ａを介して当該爪部分を押圧し、この状態からストレインリリーフ７全体をケーブル１１の後端方向に移動させることにより、当該ストレインリリーフ７を取り外すことが可能である。
【００２４】
尚、本実施形態においてはストレインリリーフ固定爪７１２をストレインリリーフ７の上部７ａにのみ設けているが、上部７ａ及び下部７ｂの両方に設けることも、当然に可能である。この場合には、コネクタ本体５の対応する部分にもストレインリリーフ固定部５２ａを設けることが考えられる。
【００２５】
図４（ａ）に示す通り、爪部７２は、曲げ応力緩和部７１の、ケーブル１１同士の間に相当する部分から先端方向に延び、シール部材６の回転防止部６２の凹部６２ａに嵌合される。これにより、コネクタの取り付けの際に生じる回転防止部６２の浮き上がりを防止することが可能である。また、本実施形態においては、回転防止部６２及び爪部７２の、上記孔部内周に対面する部分が、同一平面を形成する様に形成される。従って、コネクタの取り付けの際にシール部材６の変形等を生じず、上記孔部へのコネクタの取り付けを、円滑に行う事が可能となる。
【００２６】
次に、本実施形態に係るコネクタの取り付けの様子について説明する。図５は、本実施形態に係るコネクタの取り付け時の斜視図である。図５においては、本実施形態に係るコネクタ１を筐体８に取り付ける。
筐体８は、コネクタの先端部分が挿入される長円状の孔部である被固定部８１と、雌ねじが形成された雌ねじ部８２とを備える。また、被固定部８１には、コネクタが保持するケーブル１１の数に応じて接続孔８１ｂが形成されている。取り付けに際しては、当該接続孔８１ｂにそれぞれケーブル１１の先端部分を挿入し、次に被固定部８１にコネクタ本体５の外周部５１を圧入する。シール部材６は被固定部８１の内周壁８１ａと当接するため、当該圧入の際には抵抗力が生じる。ここで、本実施形態においては、コネクタ本体５にねじれ方向の力やこじり力が作用しても、上述の通りシール部材６の回転防止部６２はストレインリリーフ７の爪部７２によって係合部５１ｂに押し付けられているので、回転防止部６２と係合部５１ｂとの係合が解除されることなく、シール部材６の回転を防止できる。次に、ねじ９によってコネクタ本体５の固定部５３と筐体８の雌ねじ部８２とをねじ止めし、当該コネクタを筐体８に固定する。
【符号の説明】
【００２７】
１…コネクタ、２…ワイヤシール、３…フェルール、４…スリーブ、５…コネクタ本体、６…シール部材、７…ストレインリリーフ、８…筐体、９…ねじ、１１…ケーブル、１２…端子、５１…外周部、５１ａ…溝部、５１ｂ…係合部、５２…保持部、５２ａ…ストレインリリーフ固定部、６１…シール部、６２…回転防止部、６２ａ…凹部、７１…曲げ応力緩和部、７２…爪部、８１…被固定部、８１ａ…接続孔、８２…雌ねじ部、１１１…芯線、１１２…内部被覆、１１３…編組線、１１４…外部被覆、７１１…ケーブル保持部、７１２…ストレインリリーフ固定爪、７１３…挟持部。
【要約】
【課題】シール性を向上させたコネクタを提供する。
【解決手段】コネクタは、被固定部に嵌合されるコネクタ本体と、前記コネクタ本体の後端部に装着され、前記コネクタ本体内を挿通するケーブルを支持するストレインリリーフと、前記コネクタ本体の外周に装着され、前記被固定部とコネクタ本体部の嵌合面に介在する環状のシール部材とを備え、前記シール部材には、コネクタ本体の後端側に向かって延びる舌片状の回転防止部が形成されるとともに、前記コネクタ本体には、前記回転防止部を係合するための凹状の係合部が形成され、さらに前記ストレインリリーフには、前記コネクタ本体の先端側に向かって延び、前記回転防止部を押さえる爪部が形成されている。
【選択図】図１【図１】
0005543637.tif 000002
【図２】
0005543637.tif 000003
【図３】
0005543637.tif 000004
【図４】
0005543637.tif 000005
【図５】
0005543637.tif 000006